(57)【特許請求の範囲】
【請求項１】
筺体の開口部に近接して交換可能に配設されたエアフィルタと、
前記エアフィルタの使用領域を順次切り替える切り替え手段と、前記エアフィルタの汚れ度を検出する汚れ度検出手段と、
前記切り替え手段の制御を行う制御手段とを備え、
前記制御手段は、前記汚れ度検出手段における汚れ度検出値が所定の閾値になった場合に、前記切り替え手段を動作させることにより前記エアフィルタの使用領域を切り替えて前記エアフィルタの汚れ度を検出し、前記使用領域の切り替えの前後で前記汚れ度検出値の差異が所定値以下の場合、前記使用領域の切り替えを元に戻すことを特徴とする投射型画像表示装置。
【請求項２】
前記汚れ度検出値は風速計の測定値であり、前記測定値が閾値以下になった場合に、前記制御手段は、前記切り替え手段を動作させて前記エアフィルタの使用領域を切り替えることを特徴とする請求項１記載の投射型画像表示装置。
【請求項３】
前記エアフィルタは、所定の間隔で配置した二つの軸間にフィルタ部材を架張し、前記フィルタ部材をカセットテープ状、またはエンドレステープ状に収納する構造を備え、前記切り替え手段は、前記二つの軸の少なくとも一方を駆動して前記フィルタ部材を巻き取る機構を備えることを特徴とする請求項１〜２のいずれか１項に記載の投射型画像表示装置。
【請求項４】
前記二つの軸間に前記開口部を近接して配置することを特徴とする請求項３記載の投射型画像表示装置。
【請求項５】
筺体の開口部に近接して交換可能に配設されたエアフィルタと、前記エアフィルタの使用領域を順次切り替える切り替え手段と、前記エアフィルタの汚れ度を検出する汚れ度検出手段と、を備えた投射型画像表示装置のエアフィルタ制御方法であって、
前記汚れ度検出手段で前記エアフィルタの汚れ度検出値を取得するステップと、
前記汚れ度検出値が所定の閾値になった場合に、前記切り替え手段を動作させることにより前記エアフィルタの使用領域を切り替えるステップと、
前記使用領域を切り替えた前記エアフィルタの汚れ度を検出するステップと、
前記使用領域の切り替えの前後で前記汚れ度検出値の差異が所定値以下の場合、前記使用領域の切り替えを元に戻すステップと、
を備えたことを特徴とするエアフィルタ制御方法。
【請求項６】
前記検出値は風速計の測定値であり、前記検出値が閾値以下になった場合に、前記切り替え手段を動作させて前記エアフィルタの使用領域を切り替えることを特徴とする請求項５記載のエアフィルタ制御方法。
【発明の詳細な説明】
【技術分野】
【０００１】
本発明は、エアフィルタを搭載した投射型画像表示装置に関するものであり、特に塵埃条件の厳しい環境下において使用可能な多用途で高機能な投射型画像表示装置およびエアフィルタ制御方法関するものである。
【背景技術】
【０００２】
近年、投射型画像表示装置（以下、プロジェクタとも記す）の普及に伴って、企業の会議室など比較的空気が清浄な環境下で使用された従来の用途に加えて、屋内外の様々な場所で使用される事例が多くなっている。使用場所の範囲が拡大すると、使用環境が多様化することになり、温度、湿度、空気の清浄度などの条件が厳しくなる。このため、用途の拡大に伴って、プロジェクタの品質に関し、新たな課題が発生している。
【０００３】
特に、空気の清浄度の低い環境で使用した場合には、塵埃がプロジェクタの筺体内部に侵入し、光学系の機器や部品に付着するなどにより、プロジェクタの輝度が急激に低下するため、プロジェクタの防塵対策が緊急かつ重要な技術的な課題となる。
【０００４】
この課題に対する措置としては、従来、投射型画像表示装置における防塵対策として、筺体に配設される吸排気用の開口部に塵埃除去用のフィルタ（以下、エアフィルタと略記する）などのフィルタ部材を配設する方法が通例である。ただし、フィルタ部材は使用時間の増大に伴い、塵埃が付着するなどにより、通気性が低下するため、開口部の吸排気機能が低下する。開口部の通気特性の劣化は、筺体内部の温度制御機能を低下させる原因となるため、従来、フィルタ部材の通気性を維持するための措置が提案されている（例えば、特許文献１、２参照）。この事例では、長いフィルタ部材をロール状に収納した巻き取り式のエアフィルタ（以下、ロールフィルタと略記する）を使用し、所定時間経過毎に一定量ずつ巻き取る方法、熱線や半導体センサなどからなる風量センサによりフィルタ部材の汚れを判定して巻き取る方法、およびフィルタ部材の更新を原則一定のインターバルとし、更新時にファンの回転数の変化から汚れ度を検知して更新インターバルを適正化する方法が開示されている。
【先行技術文献】
【特許文献】
【０００５】
【特許文献１】特開２００８−２６２０３５号公報
【特許文献２】特開２００８−２８１９７０号公報
【特許文献３】特開平７−７３５号公報
【発明の概要】
【発明が解決しようとする課題】
【０００６】
しかしながら、フィルタ部材の汚れを検出する手段として風量や風速、ファンの回転数などの空気の流れに係わる数値を使用する場合は、空気の流れに影響を与える周辺環境の変化に対して対応することができない。特に気圧の低い場所にプロジェクタが設置された場合には、フィルタ部材の汚れとは無関係に風量や風速が減少するため、フィルタ部材の汚れが所定の条件に適合していなくてもロールフィルタを巻き取ってしまうという課題が残る。また、フィルタ部材を通過する空気の流れに影響を与える要因としては、気圧の他、プロジェクタの開口部近傍の遮蔽物の有無やプロジェクタ内外の温湿度等も無関係ではなく、従来の方法ではフィルタ部材の汚れに対して正確な判定を行うことが難しい。
【０００７】
本発明は、以上の課題を解決するものであり、気圧その他の周辺環境が変化した場合であっても、フィルタ部材の汚れを正確に判定することができ、フィルタ部材の無駄な使用を防止することができる投射型画像表示装置およびエアフィルタ制御方法を実現することを目的とする。
【課題を解決するための手段】
【０００８】
上述したような目的を達成するために、本発明の投射型画像表示装置は、筺体の開口部に近接して交換可能に配設されたエアフィルタと、エアフィルタの使用領域を順次切り替える切り替え手段と、エアフィルタの汚れ度を検出する汚れ度検出手段と、切り替え手段の制御を行う制御手段とを備え、制御手段は、汚れ度検出手段における検出値が所定の閾値になった場合に、切り替え手段を動作させることによりエアフィルタの使用領域を切り替えてエアフィルタの汚れ度を検出し、使用領域の切り替えの前後で汚れ度検出値の差異が所定値以下の場合、使用領域の切り替えを元に戻すことを特徴とする。
【発明の効果】
【００１７】
本発明によるエアフィルタ制御方法および投射型画像表示装置によれば、高地などの気圧が変化する場所や温度が不均一な場所で使用された場合であっても、周辺環境の影響を受けることなくエアフィルタの汚れを正確に判定することができ、エアフィルタの無駄な消費を防ぐことができる。したがって、多様な設置環境において使用可能な高品質な投射型画像表示装置およびエアフィルタ制御方法を実現することができる。
【図面の簡単な説明】
【００１８】
【図１】本発明の実施の形態における投射型画像表示装置の外観を示す斜視図である。
【図２】同装置の内部の主要な構成および配置を示す斜視図である。
【図３】同装置の一部の構成を詳細に示す拡大平面図である。
【図４】同装置のフィルタの使用に係わるフィルタ制御システムの概要を示す平面図である。
【図５】同制御システムの主要な構成を示すブロック図である。
【図６】同制御システムの動作手順を示すフローチャートである。
【発明を実施するための形態】
【００１９】
以下、本発明の実施の形態について、図１から図６を用いて説明する。
【００２０】
（実施の形態）
本発明の実施の形態における投射型画像表示装置の基本構成および機能について、図１から図３を用いて説明する。図１は、本発明の実施の形態における投射型画像表示装置（以下、本装置と略記する）１の外観を示す斜視図、図２は、本装置１の内部の主要な構成および配置を示す斜視図、図３は、本装置１の一部の構成を詳細に示す拡大平面図である。
【００２１】
本装置１は、筺体２の内部に投射型のプロジェクタユニット（図示せず：以下、プロジェクタと略記する）が収納されており、筺体２は、前面パネル３、外装カバー４、底板（図示せず）を備え、前面パネル３にはプロジェクタの投射窓５が、側面部には通気口６が、また、底面部には脚７がそれぞれ配設されている。プロジェクタは所定の投射距離において所定の寸法および所定の輝度で画像を投射可能であり、プロジェクタから出力された画像情報を投射窓５からスクリーン（図示せず）に投射することにより、画像を大画面で表示することができる。なお、プロジェクタにはパソコンなどの情報処理装置（図示せず）が接続されて、情報提供サービスに必要な情報を蓄積し、または通信回線を介して外部から情報を入手することができる。
【００２２】
つぎに、本装置１の内部の主要な構成について、図２および図３を用いて説明する。
【００２３】
図２に示すように、本装置１の筺体２の内部には、プロジェクタとして、ランプ部１２、電源部１３、回路基板１４および回路基板１４の下部に配置された光学ブロック１１が収納され、光学ブロック１１には集光レンズ、プリズム、液晶表示素子および投射レンズ等の光学部品が配設されている。光学ブロック１１が配置されたエリア（以下、光学エリアと略記する）に塵埃が侵入すると、塵埃が光学部品に付着するなどにより、プロジェクタの輝度が急激に低下するため、光学エリアの防塵対策が特に重要となる。
【００２４】
回路基板１４には外部接続コネクター１５が実装されており、外部接続コネクター１５は本装置１の背面部に配置され、コネクターカバーである背面カバー１６により外装されている。また、本装置１には二つの通気経路が設けられており、光学ブロック１１およびランプ部１２を冷却する目的で、側面部に設けられた吸気口１７からファン（図示せず）により吸気Ａを行い、回路基板１４および底板との間を通り、他の側面部に設けられた排気口（図示せず）から排気Ｂを行う。電源部１３の冷却は、側面部に吸気口および排気口（いずれも図示せず）が設けられていて、吸気Ｃおよび排気Ｄを行う。
【００２５】
なお、本装置１の吸気口１７には防塵フィルタ（図示せず）が交換可能に設けられている。また、吸気Ｃを行う吸気口（図示せず）については、空気抵抗を少なくして電源部１３への送風効率を高める必要があるため、防塵フィルタを設けていない。ただし、これを補完する措置として、筺体２の内部に仕切り板１８を配設し、光学エリアと他の領域を区画して光学エリアへの塵埃の進入を防止している。排気口は本装置１の動作時に塵埃を排出するため、必ずしも防塵フィルタを設ける必要はないが、排気口にも設けることにより、吸排気口の防塵対策をさらに確実にすることができる。なお、外装カバー４に設けられた吸排気口以外の開口部にはすべて防塵構造が施されている。
【００２６】
つぎに、本装置１の開口部における防塵構造について、図３を用いて説明する。
【００２７】
図３は、本装置１の側面部の通気口６（図１）に対応して筺体２に設けられた吸気口１７（図２）の近傍の詳細な構成を示す平面図である。
【００２８】
図３に示すように、本装置１の外装カバー４には開口部６が設けられている。また、開口部６に近接させて内側から開口部６を覆うようにフィルタ部１９が配設されている。フィルタ部１９はフィルタカセット３０と、フィルタ送り機構（図示せず）と、フィルタ送り制御部（図示せず）とから構成されている。
【００２９】
フィルタカセット３０は、フィルタ部材であるロール形態の静電フィルタ２０が巻かれたロール軸３１ａと、静電フィルタ２０を巻き取る巻き取り軸３１ｂと、それらの要素を収納するカセット筺体３２とを備えている。また、カセット筺体３２には、ロール軸３１ａおよび巻き取り軸３１ｂの２軸間に、吸気口６からの空気を透過させるための開口部３３が設けられている。さらに、ロール軸３１ａと巻き取り軸３１ｂとの間には中継回転軸３４および走行量モニター軸３５が配置されている。これにより、フィルタカセット３０は、巻き取り軸３１ｂにより静電フィルタ２０の一定量を巻き取ることにより、ロール軸３１ａおよび巻き取り軸３１ｂの２軸間に配置された開口部３３に対応して開口部３３を覆う領域を切り替え、防塵フィルタとして機能する静電フィルタ２０の使用領域を順次切り替えることができる。
【００３０】
フィルタカセット３０は、筺体２の内部に設けられたカセット収納部３６において着脱可能に収納することができ、装着時には巻き取り軸３１ｂが筺体２の内部に配設されたフィルタ送り機構（図示せず）と連結される。フィルタ送り機構は、フィルタカセット３０に収納された静電フィルタ２０の使用領域を順次切り替える手段としての機能を備えている。巻き取り軸３１ｂは、フィルタカセット３０の装着時にフィルタ送り機構と歯車等により連結され、ステッピングモータ等の駆動手段により回転駆動することができる。
【００３１】
なお、カセット筺体３２の巻き取り軸３１ｂの収納部は、フィルタ巻き込み口以外は密閉した構造を備えており、動作時に収納した塵埃の漏れを防止するとともに、塵埃が飛散することなくフィルタカセット３０を交換することができる。また、カセット収納部３６は、フィルタカセット３０の装着時には緩衝性のシール部材２７により周囲が密閉されている。なお、本実施の形態ではフィルタ送り機構とフィルタ巻き取り機構により、１回の使用ごとにフィルタ部材を巻き取ることによりフィルタの切り替えをおこなう方法を説明したが、フィルタ切り替え方法は、これに限定されるものではなく、１回の使用ごとに使用領域を新しい領域に切り替えることができる方法であればどのような方法でも構わない。
【００３２】
以下、本装置１の機能上の特徴であるフィルタの使用に係わる制御システム（以下、フィルタ制御システムと略記する）について、図４〜図６を用いて説明する。図４は、本装置１におけるフィルタ制御システム１００の概要を示す平面図、図５は、フィルタ制御システム１００の主要な構成を示すブロック図、図６は、フィルタ制御システム１００の動作手順を示すフローチャートである。
【００３３】
まず、本装置１における冷却構造について、図４を用いて模式的に説明する。
【００３４】
本装置１は、筺体２の内部が隔壁状の仕切り板１０１により二つの筺体空間１０２および筺体空間１０３に区画されている。筺体空間１０２には光学ブロック４１が配設され、筺体空間１０３には電源ブロック４２が配設される。また、筺体２には、開口部１０４、１０５、１０６、１０７が設けられており、筺体空間１０２は、光学ブロック４１と対向する開口部１０４の内側に排気ファン４３が配設され、吸気用の開口部１０５の内側にはエアフィルタ４６を介して吸気ファン４５が配設される。
【００３５】
これにより、光学ブロック４１により加熱される筺体空間１０２では、吸気ファン４５により開口部１０５から外部の空気を供給し、光学ブロック４１により加熱される空気を排気ファン４３により開口部１０４から外部に排出して、筺体空間１０２を冷却することができる。同様に、開口部１０６、１０７、および開口部１０６の内側に配設された吸気ファン４４により、外部から空気を供給し、排出して、筺体空間１０３を冷却することができる。なお、図４に記載された矢印は、空気の流れの方向を示す。
【００３６】
つぎに、フィルタ制御システム１００の構成および機能について、図４および図５を用いて説明する。
【００３７】
図４に示すように、本装置１では光学ブロック４１が配設された筺体空間１０２の吸気口（開口部）１０５に粉塵除去用のフィルタ（以下、エアフィルタと略記する）４６が配設されている。エアフィルタ４６は、図３を用いてすでに説明したように、フィルタ部材を巻き取り方式でカセットに収納する構成を備えており、フィルタ部材の一定の長さを巻き取ることにより、開口部１０５に対応するエアフィルタ４６の使用領域を順次切り替えることができる。なお、本装置１のエアフィルタ４６は、１２の使用領域を切り替えて使用することができる。また、エアフィルタ４６の使用が終了した場合は、表示パネル（図示せず）にエアフィルタ４６の交換が必要であることを表示する。交換部品を使用する装置では、交換の準備または交換が必要になった時点で、ＬＥＤなどの表示素子により注意を喚起する措置を講ずる。
【００３８】
図５は、フィルタ制御システム１００の主要な構成を示すブロック図であり、フィルタ制御システム１００は、フィルタ部１１０、検出部１２０、制御部１３０、切り替え部１４０、表示部１５０、および駆動部１６０、記憶部１７０を備えている。
【００３９】
フィルタ部１１０は、エアフィルタ４６および筺体２に配設されたカセット収納部３６（図３）を備える。エアフィルタ４６は、開口部１０５に近接してカセット収納部３６に着脱可能に配置され、フィルタ部材を巻き取る方式などにより使用領域を順次切り替えて塵埃除去を行う機能を備える。カセット収納部３６は、エアフィルタ４６を所定位置に配置し、エアフィルタ４６の装着時にエアフィルタ４６を駆動部１６０と係合する機能を備える。
【００４０】
検出部１２０は、エアフィルタ４６に係わる検出手段としてのフィルタセンサ１２１およびフィルタの汚れ度検出手段としての風速計１２２を備え、フィルタセンサ１２１および風速計１２２から受信した検出情報を変換して制御部１３０に送信することができる。フィルタセンサ１２１は、エアフィルタ４６の装着の有無や巻き取り回数などを検出する機能を有する。また、風速計１２２は、筺体２の内部または外部に配設され、風速に係わる測定値を使用して本装置１の開口部の近傍に配設されたエアフィルタの汚れ度を検出することができる。
【００４１】
制御部１３０は、管理部１３１および処理部１３２を備える。管理部１３１では、検出部１２０、切り替え部１４０、表示部１５０および記憶部１７０との信号授受に係わる情報管理を行うほか、検出部１２０から受信した情報を処理部１３２に送信し、また、処理部１３２から受信した情報に基づいて切り替え部１４０および表示部１５０に対して情報を送信し、動作に係わる指示を行う。処理部１３２では、管理部１３１から受信した情報に基づいて切り替え部１４０および表示部１５０の動作に係わる情報処理を行う。
【００４２】
切り替え部１４０は、制御部１３０から受信した情報に基づいてエアフィルタ４６の使用領域を切り替えるための指示信号を生成し、駆動部１６０に送信する。
【００４３】
表示部１５０は、表示パネル１５１および表示回路（図示せず）を備え、エアフィルタ４６の使用状況および交換に関する表示を行う。使用状況については、エアフィルタ４６における使用進捗の比率を残量（％）として表示する。また、エアフィルタ４６のすべての使用領域の使用を終了し、交換を要する状況に至った時点で、表示パネル１５１に交換を要する旨、表示を行う。
【００４４】
駆動部１６０は、切り替え部１４０から受信した情報に基づいてエアフィルタ４６と係合された駆動機構を制御し、エアフィルタ４６の使用領域の切り替えを行う。
【００４５】
記憶部１７０は、制御部１３０と接続され、制御部１３０が取り扱う情報を保存する機能を備え、制御部１３０と情報の授受を行う。
【００４６】
つぎに、制御部１３０におけるエアフィルタ４６の使用領域の切り替えに係わる機能について詳細に説明する。
【００４７】
制御部１３０では、塵埃の付着等に起因するエアフィルタ４６における使用領域のフィルタ部材の汚れの進み具合（以下、汚れ度と略記する）を、風速計１２２における測定値（汚れ度検出値）に基づいて判定を行う。
【００４８】
エアフィルタ４６の使用領域の切り替えは、一定のインターバルを定めて実施するのではなく、エアフィルタ４６の汚れ度検出値が所定の閾値に達しまたは超えた場合（風速が閾値以下になった場合）に、使用領域の切り替えの要否に関する判定を行う。判定の結果、切り替えを要する場合は、エアフィルタ４６の使用領域の切り替え（巻き取り）を行い、切り替え不要の判定結果がでた場合は、切り替えを行わない。
【００４９】
切り替え要否の判定は、風速が閾値以下になった場合に、一旦、エアフィルタ４６の使用領域の切り替えを行い、切り替えの前後におけるエアフィルタ４６の汚れ度検出値を比較することにより行う。切り替え後のエアフィルタ４６の使用領域はフィルタ部材が未使用の状態にあり、これと比較することにより、例えば、予め定められたテーブル（汚れ度進行表）などを使用して切り替えの要否を判定する。判定の結果、切り替え前後の汚れ度検出値の差異が所定の閾値以下の場合は、風速の低下がエアフィルタ４６の汚れに起因するものではなく、気圧等の環境変化に起因する現象と判定し、一旦、切り替えたエアフィルタ４６を元に巻き戻す。一方、判定の結果、切り替え前後の汚れ度検出値の差異が所定の閾値を超える場合は、風速の低下がエアフィルタ４６の汚れに起因するものとして、エアフィルタ４６を元に巻き戻すことなく、切り替えた状態で新しい領域のフィルタ部材を使用する。
【００５０】
風速計の測定値は、気圧などの周辺環境の変化により影響を受けるため、本装置１におけるフィルタ制御システム１００では、エアフィルタ４６の切り替え要否の判定を行うことにより、風速計の測定値を検証し、周辺環境の影響を除去している。これにより、エアフィルタ４６の使用領域を確実かつ精度良く、効率的に切り替えることができ、フィルタ部材の無駄な消費を防止することができる。
【００５１】
処理部１３２は、エアフィルタ４６の使用領域の切り替えに係わる情報処理のプログラムおよびデータを記憶したＰＯＭ（Ｒｅａｄ  Ｏｎｌｙ  Ｍｅｍｏｒｙ：図示せず）備えており、管理部１３１から受信した風速計１２２の検出情報に基づき、エアフィルタ４６の使用領域の切り替えに関する以上に述べた事項につき、情報処理を行うことができる。
【００５２】
なお、フィルタ制御システム１００では、ロール式のエアフィルタを使用しているが、エアフィルタの形態はこれに限らない。スライド式その他、フィルタ部材の使用領域を切り替え可能に構成されたエアフィルタに対しても、フィルタ制御システム１００は同様の効果を発揮できることは言うまでもない。
【００５３】
また、管理部１３１は、光源の電源ＯＮ／ＯＦＦや電源のトラブルなどにより不安定で過渡的な状況が発生した場合には、汚れ度検出値に係わる情報を処理部１３２に送信しない機能を備えている。これにより、過渡的な変動要因を除外することができる。
【００５４】
また、制御部１３０は、エアフィルタ４６が交換時期になり、汚れ度検出値が閾値になった状態で交換がなされないとき、暫定処置として、所定期間排気ファンの回転数を高めることができる。これにより、エアフィルタ４６の通気性の低下に対して排気を強化することができ、筺体内部の温度制御機能を一定レベルに維持することができる。
【００５５】
つぎに、フィルタ制御システム１００の動作手順について、図６を用いて説明する。
【００５６】
フィルタ制御システム１００が動作を開始すると、ステップ１（図６ではＳ１と記載し、以下、同様とする）では、検出部１２０において、所定の間隔で風速計１２２を使用して、筺体２の開口部１０５に配設された吸気ファン４５によりエアフィルタ４６を介して筺体空間１０２に排出される空気の風速を測定し、エアフィルタ４６の汚れ度を検出する。その後、検出した情報（汚れ度検出値）を変換して制御部１３０に送信する。
【００５７】
ステップ２では、制御部１３０では、検出部１２０から受信した情報に基づいてエアフィルタ４６の汚れ度を判定する。汚れ度検出値と予め定められた閾値との比較を行い、汚れ度検出値が閾値に達した場合および閾値を超えた場合は、ステップ３に移行し、汚れ度検出値が閾値に達しない場合は、ステップ１に戻る。
【００５８】
ステップ３では、制御部１３０からの指示情報に基づき、切り替え部１４０および駆動部１６０を動作させてエアフィルタ４６を巻き取り、フィルタ部材の使用領域の切り替えを行い、ステップ４に移行する。
【００５９】
ステップ４では、直ちにステップ１と同様の手順で、巻き取った後のエアフィルタ４６の汚れ度を検出し、ステップ５に移行する。このステップでは、本装置１の設置場所における未使用状態のフィルタ部材の汚れ度（通気性）を検証する。
【００６０】
ステップ５では、ステップ４において検証された本装置１の設置場所における未使用状態のフィルタ部材の通気性と巻き取り前のエアフィルタ４６の汚れ度との比較を行い、エアフィルタ４６の巻き取りの要否を判定する。エアフィルタ４６の巻き取り（使用領域の切り替え）前後の汚れ度検出値の差異と所定の閾値とを比較することにより、要否の判定を行うことは既に述べた。判定の結果、エアフィルタ４６の巻き取りが必要と判定された場合は、ステップ１に戻り、フィルタの制御を終了する。一方、巻き取りが不要と判定された場合は、ステップ６に移行し、エアフィルタ４６の巻き取りを元に戻して、ステップ１に戻り、フィルタの制御を終了する。
【００６１】
以上の通り、本装置１は、筺体２の開口部１０５に近接して交換可能に配設されたエアフィルタ４６と、エアフィルタ４６の使用領域を順次切り替える切り替え部１４０と、エアフィルタ４６の汚れ度を検出する風速計１２２と、切り替え部１４０の制御を行う制御部１３０とを備え、制御部は、風速計１２２における検出値が所定の閾値になった場合に、切り替え部１４０を動作させることによりエアフィルタ４６の使用領域を切り替えてエアフィルタ４６の汚れ度を検出し、使用領域の切り替えの要否を判定する機能を発揮することができる。
【００６２】
このような構成により、使用前のフィルタ部材の通気性との差異を検証したうえでエアフィルタ４６の汚れ度を判定することができる。したがって、プロジェクタの周辺環境の影響を受けることなく、エアフィルタ４６の正確な汚れ度を判定することができ、不必要なエアフィルタの使用領域の切り替えを防止し、多様な設置環境において使用可能な高品質なエアフィルタ制御方法および投射型画像表示装置を実現することができる。
【産業上の利用可能性】
【００６３】
本発明によれば、防塵性能およびエアフィルタの使用効率に優れたエアフィルタ制御方法および投射型画像表示装置を提供することができる。したがって、屋内外の塵埃の多い設置環境において使用する投射型画像表示装置として有用である。
【符号の説明】
【００６４】
１    投射型画像表示装置（本装置）
２    筺体
３    前面パネル
４    外装カバー
５    投射窓
６    通気口（開口部）
７    脚
１１，４１    光学ブロック
１２    ランプ部
１３    電源部
１４    回路基板
１５    外部接続コネクター（コネクター）
１６    背面カバー（コネクターカバー）
１７，１０５    吸気口（開口部）
１８，１０１    仕切り板
１９    フィルタ部
２０    静電フィルタ
２７    シール部材
３０    フィルタカセット
３１ａ    ロール軸
３１ｂ    巻き取り軸
３２    カセット筺体
３３，１０４，１０６，１０７    開口部
３４    中継回転軸
３５    走行量モニター軸
３６    カセット収納部
４２    電源ブロック
４３    排気ファン
４４，４５    吸気ファン
４６    エアフィルタ
４７，１２２    風速計
１００    フィルタ制御システム
１０２，１０３    筺体空間
１１０    フィルタ部
１２０    検出部
１２１    フィルタセンサ
１３０    制御部
１３１    管理部
１３２    処理部
１４０    切り替え部
１５０    表示部
１５１    表示パネル
１６０    駆動部
１７０    記憶部
【図１】
0005533229.tif 000002
【図２】
0005533229.tif 000003
【図３】
0005533229.tif 000004
【図４】
0005533229.tif 000005
【図５】
0005533229.tif 000006
【図６】
0005533229.tif 000007